【事件の表示】
　特許第２８４８２２４号「蛇行防止ガイド」の特許に対する特許異議の申立てについて、次のとおり決定する。
【結　論】
　訂正を認める。
　特許第２８４８２２４号の特許を維持する。
【理　由】
Ｉ．手続の経緯
　
　特許第２８４８２２４号の請求項１に係る発明についての手続の経緯は、およそ次のとおりである。
（１）特許出願　平成５年１２月２７日
（２）特許権の設定の登録　平成１０年１１月６日
（３）特許掲載公報の発行　平成１１年１月２０日
（４）丸川京子より特許異議の申立て　平成１１年７月１９日
（５）特許の取消理由の通知　平成１１年１０月２９日
（６）特許権者より明細書の訂正請求（指定期間内）　平成１１年１２月１７日
（７）訂正拒絶理由の通知 平成１２年２月４日
（８）特許権者より手続補正書（訂正請求書）の提出（指定期間内）　平成１２年３月２３日
　
ＩＩ．訂正の適否について
　
１．訂正請求書に対する補正の適否
（１）前記Ｉ．（６）の訂正請求における訂正事項は、次のとおりである。
ａ．訂正前の明細書の特許請求の範囲の記載、すなわち、
「【請求項１】エンドレスベルトの蛇行防止用に設けられる蛇行防止ガイドにおいて、引張弾性率５０００Ｋｇ／ｃｍ２以上の補強基材と、この補強基材の両面に塗布された厚さ５〜１００μｍの接着層と、一方の接着層に接着された、ＪＩＳＡ硬度が３０Ｈｓ以上９５Ｈｓ以下のガイド材料とから構成されることを特徴とする蛇行防止ガイド。」
を、訂正明細書の特許請求の範囲の記載、すなわち、
「【請求項１】エンドレスベルトの蛇行防止用に設けられる蛇行防止ガイドにおいて、エンドレスベルト上に、両面に接着層が接着された補強基材とガイド材料がこの順で積層されてなり、該補強基材の引張弾性率が５０００Ｋｇ／ｃｍ２以上であり、該接着層の厚さが５〜１００μｍであり、該ガイド材料のＪＩＳＡ硬度が３０Ｈｓ以上９５Ｈｓ以下であることを特徴とする蛇行防止ガイド。」
に訂正する。
ｂ．前記ａの訂正に整合させて、訂正前の明細書の発明の詳細な説明の段落【０００８】の記載を訂正する。
（２）前記Ｉ．（８）の手続補正書による補正事項は、次のとおりである。
ｃ．前記ａの訂正明細書の特許請求の範囲の記載を、
「【請求項１】エンドレスベルトの蛇行防止用に設けられる蛇行防止ガイドにおいて、エンドレスベルト上に両面に接着層が接着された補強基材とガイド材料がこの順で積層されてなり、該補強基材の引張弾性率が５０００Ｋｇ／ｃｍ２以上であり、該接着層の厚さが５〜１００μｍであり、該ガイド材料のＪＩＳＡ硬度が３０Ｈｓ以上９５Ｈｓ以下である蛇行防止ガイドであって、両面に接着層が接着された補強基材とガイド材料がこの順で積層された部分の断面が略矩形であることを特徴とする蛇行防止ガイド。」
と補正する。
ｄ．前記ｃの補正に整合させて、訂正明細書の発明の詳細な説明の段落【０００８】の記載を補正する。
（３）前記補正事項ｃは、訂正事項ａにおける訂正明細書の請求項１の記載において、「両面に接着層が接着された補強基材とガイド材料がこの順で積層された部分の断面が略矩形である」という、訂正明細書の請求項１に記載された事項により特定される発明にとって自明といえる事項を加入したものであり、また、前記補正事項ｄは、訂正事項ｂにおける訂正明細書の当該段落の記載を補正事項ｃに整合させて単に記載し直したものであるから、訂正請求書に対する当該補正は、同請求書の要旨を変更するものであるとはいえず、特許法第１２０条の４第３項において準用する同法第１３１条第２項の規定に適合する。
　したがって、当該補正を認める。
　
２．訂正事項
（１）前記Ｉ．（８）の手続補正書による補正が認められることにより、前記Ｉ．（６）の訂正請求は、次のアないしイのとおり、明細書の記載を訂正することを求めるものとなる。
ア．前記ａの訂正前の明細書の特許請求の範囲の記載を、補正された訂正明細書の特許請求の範囲の記載、すなわち、
「【請求項１】エンドレスベルトの蛇行防止用に設けられる蛇行防止ガイドにおいて、エンドレスベルト上に両面に接着層が接着された補強基材とガイド材料がこの順で積層されてなり、該補強基材の引張弾性率が５０００Ｋｇ／ｃｍ２以上であり、該接着層の厚さが５〜１００μｍであり、該ガイド材料のＪＩＳＡ硬度が３０Ｈｓ以上９５Ｈｓ以下である蛇行防止ガイドであって、両面に接着層が接着された補強基材とガイド材料がこの順で積層された部分の断面が略矩形であることを特徴とする蛇行防止ガイド。」
に訂正すること。
イ．前記アの訂正に整合させて、訂正前の明細書の発明の詳細な説明の段落【０００８】の記載を訂正すること。
　
２．訂正の目的の適否
（１）前記アの訂正は、訂正前の明細書の特許請求の範囲の請求項１に記載された事項により特定される発明である「蛇行防止ガイド」について、それは、エンドレスベルト上に両面に接着層が接着された補強基材とガイド材料がこの順で積層されてなるものであること、この積層構造における「両面に接着層が接着された補強基材とガイド材料がこの順で積層された部分」の断面は略矩形であることをそれぞれ規定するものであるところ、前者の訂正は特許請求の範囲の減縮を目的とするものに該当し、後者のそれは明りょうでない記載の釈明を目的とするものに該当する。
（２）前記イの訂正は、前記アの訂正に整合させて、対応する発明の詳細な説明の記載をも併せて訂正しようとするものであるから、明りょうでない記載の釈明を目的とするものに該当する。
　
３．新規事項の追加の有無
　訂正前の請求項１に記載された事項により特定される発明である「蛇行防止ガイド」において、エンドレスベルト上に両面に接着層が接着された補強基材とガイド材料がこの順で積層されてなること及び両面に接着層が接着された補強基材とガイド材料がこの順で積層された部分の断面が略矩形であることは、訂正前の明細書の発明の詳細な説明の段落【０００９】、【００１８】や実施例の記載及び図面の記載から明らかであるから、当該訂正は、願書に添付された明細書又は図面に記載された事項の範囲内においてされたものである。
　
４．特許請求の範囲の拡張又は変更の存否
　当該訂正が、訂正前の請求項１に記載された事項により特定される発明の具体的な目的の範囲を逸脱してその技術的事項を変更するもの等に該当しないことは、前記２、３の各説示からも明らかであるから、当該訂正は、特許請求の範囲を実質上拡張するものでも変更するものでもない。
　
５．独立特許要件の判断
（１）本件発明
　訂正後の請求項１に係る発明（以下「本件発明」という。）は、補正された訂正明細書の特許請求の範囲の請求項１に記載された事項により特定される次のとおりのものである。
　「【請求項１】エンドレスベルトの蛇行防止用に設けられる蛇行防止ガイドにおいて、エンドレスベルト上に両面に接着層が接着された補強基材とガイド材料がこの順で積層されてなり、該補強基材の引張弾性率が５０００Ｋｇ／ｃｍ２以上であり、該接着層の厚さが５〜１００μｍであり、該ガイド材料のＪＩＳＡ硬度が３０Ｈｓ以上９５Ｈｓ以下である蛇行防止ガイドであって、両面に接着層が接着された補強基材とガイド材料がこの順で積層された部分の断面が略矩形であることを特徴とする蛇行防止ガイド。」
（２）当審の取消理由の概要　
　当審で通知した前記Ｉ．（５）の特許の取消理由はおよそ次のとおりである。
　「本件発明は、その出願前に国内において頒布された次の刊行物１ないし刊行物５に記載された発明に基づいて、その出願前に当業者が容易に発明をすることができたものであると認められるから、本件特許は、特許法第２９条第２項の規定に違反してされたものであって、取り消すべきものである。
刊行物１：特開平４−３３３４５７号公報
刊行物２：「プラスチックフィルム・レジン材料総覧’９３」、加工技術研究会、１９９２年１２月１０日、ｐ．２９９〜３２５
刊行物３：特開平３−８９３５７号公報
刊行物４：特開昭６２−５０８７３号公報
刊行物５：特開昭５８−２１４１６７号公報」
（３）対比及び判断
　刊行物１には、「シームレスベルトの基材の内側の両端部に、エラストマー製ガイドが接着されている補強テープを接着剤を用いて接着して形成した蛇行防止用ガイド付きシームレスベルト」が記載されており、さらに、次のａ〜ｆの事項が図面とともに記載されている。
　ａ．ガイドを単に感圧接着剤で接着して作成する従来の方法では、ガイドの幅が数ｍｍと狭いため、ガイドのシームレスベルトへの接着強度が不十分となり、ガイドの耐久性に問題があること。
　ｂ．前記のエラストマー製ガイドとしては、ＪＩＳＡ硬度が６０以下のエラストマーを用いること。
　ｃ．前記の補強テープの素材としては、延伸ポリエチレンテレフタレートを用いること。
　ｄ．シームレスベルトへの補強テープの接着は、片面に接着剤ないし粘着剤が通常１〜８μｍの厚さで塗布された接着テープないし粘着テープを用いることにより行うこと、つまり、補強テープの片面（シームレスベルト側）には通常１〜８μｍの厚さで塗布された接着剤ないし粘着剤の層が存在すること。
　ｅ．補強テープとエラストマー製ガイドとの接着は接着剤を使用せず、同ガイドの素材であるゴムの有している接着力を利用すること。
　ｆ．蛇行防止用ガイドの作成は、具体的には、二軸延伸ポリエステルテープからなる厚さ５０μｍ、幅１０ｍｍの補強テープの片面にアクリル系粘着剤を５μｍの厚さで塗布してその塗布面を剥離紙で被覆してなる粘着テープの粘着剤非塗布面に半流動性の常温硬化性シリコーンゴムを幅５ｍｍ、高さ０．６ｍｍの形状に押し出し、シリコーンゴムを硬化させてエラストマー製ガイドを補強テープ面に形成することにより行うこと。
　刊行物２の３０８〜３１０頁、３１３〜３１６頁、３１９〜３２０頁及び３２２〜３２５頁の記載からは、各メーカーの製造する二軸延伸ポリエステルフィルムの引張弾性率が一般に３８０００〜５２０００Ｋｇ／ｃｍ２の範囲にあること、つまり５０００Ｋｇ／ｃｍ２以上であることが知られ、また、同刊行物の３０８〜３１０頁には、商品名ダイアホイルの標準タイプのものと解される「Ｓタイプ」の二軸延伸ポリエステルフィルムが粘着テープの基体に使用されることが記載されている。　
　刊行物３ないし刊行物５にはそれぞれ、蛇行防止ガイドを作成する際に、補強基材とガイド材料とを何らかの接着層（刊行物４では感圧接着層）を介して積層することが記載されている。
　刊行物１の記載にいうシームレスベルトがエンドレスベルトを意味することは明らかであり、また、刊行物１の前記ａ及びｆの記載事項から見て、刊行物１にいう「蛇行防止用ガイド」においては、補強テープの幅をエラストマー製ガイドの幅よりも大きくする必要があることが理解されるから、これらの記載を総合すると、刊行物１には、
「エンドレスベルトの蛇行防止用に設けられる蛇行防止ガイドにおいて、エンドレスベルト上に片面（エンドレスベルト側）に接着層が接着された二軸延伸ポリエステルテープからなる補強テープと該接着層が存在しない他面にガイド材料がこの順で積層されてなり、該接着層の厚さが１〜８μｍであり、該ガイド材料のＪＩＳＡ硬度が６０Ｈｓ以下である蛇行防止ガイドであって、片面（エンドレスベルト側）に接着層が接着された二軸延伸ポリエステルテープからなる補強テープの幅がガイド材料の幅よりも大きいものである蛇行防止ガイド。」
が記載されていると認められる。
　しかし、刊行物１には、本件発明を特定する「両面に接着層が接着された補強基材とガイド材料がこの順で積層された部分の断面が略矩形である」との事項、つまり、両面に接着層が接着された補強基材がガイド材料と一体となって略矩形の蛇行防止部分（ローラーの凹部にはまり込む部分）を構成することが記載されていない。刊行物１記載の前記蛇行防止ガイドでは、片面（エンドレスベルト側）に接着層が接着された二軸延伸ポリエステルテープからなる補強テープの幅はガイド材料の幅よりも大きいものであるから、同補強テープはそもそも蛇行防止部分を構成しておらず本件発明にいう「補強基材」に該当するとはいえないものである。また、当該事項は刊行物２ないし刊行物５にも記載されていないし、刊行物１ないし刊行物５の記載を総合しても導かれない。
　そして、本件発明は、当該事項を具備することにより、両面に接着層が接着された補強基材がガイド材料と一体となって略矩形の蛇行防止部分（ローラーの凹部にはまり込む部分）を構成してガイド材料の強度を補完し、もって十分な蛇行防止効果と耐久性とを有する蛇行防止ガイドを得るという、刊行物１ないし刊行物５の記載からは容易に予測することのできない作用効果を奏するものである。
　したがって、本件発明は、刊行物１ないし刊行物５に記載された発明に基づいて、その出願前に当業者が容易に発明をすることができたものであるとはいえない。
　また、他に本件発明がその出願の際独立して特許を受けることができないものであるとする理由もない。
　よって、本件発明は、その出願の際独立して特許を受けることができるものである。
　
６．むすび
　以上のとおりであるから、前記アないしイの訂正は、特許法第１２０条の４第２項の規定及び同法同条第３項において準用する同法第１２６条第２項ないし第４項の規定に適合するので、当該訂正を認める。
　
ＩＩＩ．特許異議の申立てについて
　
１．本件発明
　特許第２８４８２２４号の請求項１に係る発明（以下「本件発明」という。）は、補正された訂正明細書の特許請求の範囲の請求項１に記載された事項により特定される前記ＩＩ．５．（１）記載のとおりのものである。
　
２．特許異議の申立ての理由の概要
　特許異議申立人は、順に前記刊行物１ないし刊行物５に相当する甲第１号証ないし甲第５号証を提出し、「本件発明は、甲第１号証ないし甲第５号証に記載された発明に基づいて、その出願前に当業者が容易に発明をすることができたものであって、特許法第２９条２項の規定により特許を受けることができないものであるから、本件特許は取り消されるべきである。」と主張している。なお、同申立人の特許異議申立書の「４　証拠方法」の欄及び３頁１３行において、甲第１号証について特開平４−３３３５５７号公報としているのは、特開平４−３３３４５７号公報の明白な誤記であると認める。
　
３．特許異議の申立ての理由についての判断
　前記ＩＩ．５に説示したとおり、本件発明は、甲第１号証ないし甲第５号証に記載された発明に基づいて、その出願前に当業者が容易に発明をすることができたものであるとは認められない。
　してみると、本件発明は、特許法第２９条２項の規定により特許を受けることができない発明に該当しないから、前記特許異議の申立ての理由により本件特許は取り消されるべきであるとする特許異議申立人の主張は失当である。
　
ＩＶ．むすび
　
　以上のとおりであるから、特許異議の申立ての理由及び証拠によっては、本件特許を取り消すことはできない。
　また、他に本件特許を取り消すべき理由を発見しない。
　よって、結論のとおり決定する。
【異議決定日】
平成１２年５月８日（２０００．５．８）
【訂正の要旨】
訂正の要旨
特許第２８４８２２４号発明の明細書について、次のとおり訂正する。
（１）特許請求の範囲の減縮及び明りょうでない記載の釈明を目的として、特許請求の範囲の請求項１の記載を次のように訂正すること。
「【請求項１】エンドレスベルトの蛇行防止用に設けられる蛇行防止ガイドにおいて、エンドレスベルト上に両面に接着層が接着された補強基材とガイド材料がこの順で積層されてなり、該補強基材の引張弾性率が５０００Ｋｇ／ｃｍ２以上であり、該接着層の厚さが５〜１００μｍであり、該ガイド材料のＪＩＳＡ硬度が３０Ｈｓ以上９５Ｈｓ以下である蛇行防止ガイドであって、両面に接着層が接着された補強基材とガイド材料がこの順で積層された部分の断面が略矩形であることを特徴とする蛇行防止ガイド。」
（２）明りょうでない記載の釈明を目的として、明細書の発明の詳細な説明の段落【０００８】【課題を解決するための手段】の「すなわち、」以下の記載を次のように訂正すること。
「すなわち、本発明による蛇行防止ガイドは、エンドレスベルトの蛇行防止用に設けられる蛇行防止ガイドであって、エンドレスベルト上に、両面に接着層が接着された補強基材とガイド材料がこの順で積層されてなり、該補強基材の引張弾性率が５０００Ｋｇ／ｃｍ２以上であり、該接着層の厚さが５〜１００μｍであり、該ガイド材料のＪＩＳＡ硬度が３０Ｈｓ以上９５Ｈｓ以下である蛇行防止ガイドであって、両面に接着層が接着された補強基材とガイド材料がこの順で積層された部分の断面が略矩形であることを特徴とする蛇行防止ガイドである。」
（５４）【発明の名称】
蛇行防止ガイド
（５７）【特許請求の範囲】
　【請求項１】　エンドレスベルトの蛇行防止用に設けられる蛇行防止ガイドにおいて、
エンドレスベルト上に両面に接着層が接着された補強基材とガイド材料がこの順で積層されてなり、
該補強基材の引張弾性率が５０００Ｋｇ／ｃｍ２以上であり、
該接着層の厚さが５〜１００μｍであり、
該ガイド材料のＪＩＳＡ硬度が３０Ｈｓ以上９５Ｈｓ以下である
蛇行防止ガイドであって、
両面に接着層が接着された補強基材とガイド材料がこの順で積層された部分の断面が略矩形である
ことを特徴とする蛇行防止ガイド。
【発明の詳細な説明】
　【０００１】
　【産業上の利用分野】本発明は、電子写真式複写機、レーザープリンター等の中間転写装置、転写分離装置、搬送装置、帯電装置、現像装置等に使用されるエンドレスベルトの蛇行防止に用いられる蛇行防止ガイドに関する。
　【０００２】
　【従来の技術】従来から電子写真式複写機等の、中間転写装置、転写分離装置、搬送装置、帯電装置、現像装置等においては、エンドレスベルトが多用されている。図１は、中間転写装置にエンドレスベルトが用いられた例を示す。すなわち感光ドラム１は帯電器３で表面を均一に帯電され、露光器２により画像に対応した静電潜像が作られる。この静電潜像は現像器５で現像され、トナー像になる。トナー像は静電転写器１０により、中間転写ベルト６に転写される。中間転写ベルト６上のトナー像は、押圧ローラー１２により記録紙１１に転写される。感光ドラム上の残留トナーはクリーナー４で除去され、次の帯電サイクルに備える。
　【０００３】通常この種のエンドレスベルトは、図１に示すように、その内面に接する複数のローラー７、８、９により支持され、トナー像の転写や記録紙の搬送に用いられる。複数のローラーのうち最低１本はモーター等の駆動源に接続された駆動ローラーで、その他はベルトの移動に連れて自由に回転する従動ローラーである。ところで、エンドレスベルトを高精度に駆動するには、各ローラーの軸が互いに平行であること、ローラーの真円度、真直度が高いことが必要になる。これらが満たされないとエンドレスベルトが蛇行し、露光位置や転写位置がずれるため画像ムラや画像ずれが発生する。
　【０００４】そこで、このベルトの蛇行を防止するため、特開昭５８−１００１４５号公報記載のように駆動ロールにフランジを設けたり、特開昭５９−２０３０３６号公報記載のように蛇行量を検出し、各ロールの平行度を制御する方法が提案されている。しかし、フランジを設けた場合、蛇行が大きいとベルトがフランジに乗り上げて破断する場合があること、ロールの平行度を制御する方法は構造が複雑で高価な上、大型化するという問題がある。
　【０００５】一方、ベルトを改良して蛇行防止を図る技術として、例えば、特開昭５９−２３０９５０号公報や特開昭６２−５０８７３号公報記載の様に、ホットメルト接着剤や常温硬化型シリコンを用いて蛇行防止ガイドを作成したり、感圧接着剤を用いて蛇行防止ガイドを接着することが提案されている。
　【０００６】
　【発明が解決しようとする課題】しかしながら、ホットメルト接着剤でガイドを形成する方法は、１８０〜２００℃に溶融したホットメルトをベルトに直接塗布するため、ポリエチレン、ポリカーボネート、ポリエチレンテレフタレート、エチレン・テトラフルオロエチレン共重合体等の熱可塑性樹脂からなるベルトを用いた場合、ベルトが熱変形する。さらに、ホットメルトは低粘度のため、冷却固化するまでガイドの形状を保持する事が困難であるという問題がある。
　【０００７】また、常温硬化型シリコンでガイドを形成する場合は、シリコンの硬化時間が２４時間以上であることから、作業効率がよくない。さらに硬化時の寸法変化が大きいため、精度のよいガイドを形成するのが困難である。一方、感圧接着剤を用いてガイドをベルトに接着する方法においては、接着時にガイドを押しつける必要がある。このため、ガイド材料としてポリエステルエラストマー、ポリウレタン等の低硬度の材料を用いると、押圧によりガイドが伸びた状態で接着され、硬化後の復元力によりベルトに皺ができたり、復元力が接着力より強いと、ガイドが剥離するという問題があった。本発明の目的は、ガイドの形成が容易で、かつ精度が高く、また低硬度のガイド材料を用いても上述した問題の発生しない蛇行防止ガイドを提供することにある。
　【０００８】
　【課題を解決するための手段】本発明者は、特定の硬度を有するガイド材料を用い、また特定の引張弾性率を有する補強部材を用いることにより、上述の目的を達成できることを見いだし、本発明に到達した。すなわち、本発明による蛇行防止ガイドは、エンドレスベルトの蛇行防止用に設けられる蛇行防止ガイドであって、
エンドレスベルト上に、両面に接着層が接着された補強基材とガイド材料がこの順で積層されてなり、
両面に接着層が接着された補強基材とガイド材料がこの順で積層された部分の断面が略矩形である
　【０００９】以下、本発明を具体的に説明する。
（１）蛇行防止ガイドの構成
図２は、本発明による蛇行防止ガイドの構成を示す斜視図である。ガイド材料１５は、弾性体からなり、蛇行防止ガイドにかかる剪断力等を吸収する。補強基材１８はガイド材料１５と図示しないベルトとの接着強度を向上させるとともに、ベルトの補強材としても機能する。接着層１６および１７は、ガイド材料１５と補強基材１８および補強基材１８とベルトとを夫々接着する。離型紙１９は、蛇行防止ガイドをベルトに接着するまで、接着層１７を保護する。
　【００１０】（２）ガイド材料
本発明に使用するガイド材料は、ＪＩＳＡ基準による硬度が３０Ｈｓ以上９５Ｈｓ以下のエラストマーである。具体的には、ポリエステルエラストマー、ポリウレタン、ネオプレンゴム、ウレタンゴム、クロロプレンゴム、ニトリルゴム、ブチルゴム、シリコンゴムなどを挙げることができる。これらの中でもベルトヘの接着性、電気絶縁性、耐湿、耐溶剤、耐オゾンおよび耐熱性、耐磨耗性、接着剤との接着性を考慮すると、特にポリウレタンゴムやシリコンゴムが好ましい。
　【００１１】硬度が９５Ｈｓを超えると、張り合わせ時の伸びは少なく寸法精度は良好だが、ローラーの曲面に沿って長時間駆動されることによる断続的な剪断力を吸収するに十分な弾性が不足する。この結果、負荷がベルトに集中し、ベルトにクラックが発生する。一方、硬度が３０Ｈｓ未満の場合は、ベルト蛇行時にガイドが受ける剪断力による変形が大きく、十分なガイドができない。
　【００１２】ガイド材料の厚みは、０．０８ｍｍから１．９８ｍｍが好ましく、０．５ｍｍから１ｍｍがさらに好ましい。厚みが１．９８ｍｍを超えると、ガイド材料部分からクラックが発生する。また、０．０８ｍｍ未満では十分な蛇行防止効果が得られない。
　【００１３】（３）補強基材
本発明の蛇行防止ガイドに用いる補強基材は、引張弾性率５０００Ｋｇ／ｃｍ２以上、好ましくは１００００Ｋｇ／ｃｍ２以上、さらに好ましくは２００００Ｋｇ／ｃｍ２以上の材料を用いる。引張弾性率が５０００Ｋｇ／ｃｍ２未満の場合、補強基材自体の伸縮性が大きく、ベルトおよびガイドヘの接着時に伸びてしまうため、復元力でベルトに皺ができたり、ガイドが剥がれたりする。
　【００１４】具体的な材料としては、二軸延伸ポリエステル、ポリイミド、ポリエーテルイミド、ナイロン、ポリプロピレンが好ましく、特に引張弾性率、耐熱性、価格の点から二軸延伸ポリエステルが好ましい。補強基材の厚みは、１０〜１５０μｍが好ましく、２５〜１２５μｍが特に好ましい。厚みが１５０μｍを超えると、補強基材の剛性が高くなりすぎ、ガイドの蛇行による剪断力がベルトへ集中してクラック発生の原因になる。また、厚みが１０μｍ未満の場合は、引張弾性率が５０００Ｋｇ／ｃｍ２未満の場合と同様の問題が生じる。
　【００１５】（４）接着剤
補強基材の両面に塗布する接着剤としては、アクリル系、天然ゴム系、合成ゴム系、シリコーン系、熱硬化系のものが好ましい。これらのなかでも特に、接着性および価格の点からアクリル系の接着剤が好ましい。
　【００１６】接着剤の塗布厚（接着層の厚み）は５〜１００μｍが好ましく、特に好ましくは１０〜５０μｍである。厚みが１００μｍを超えると、接着剤の弾性率が低いため接着層からガイドがずれる。また、厚みが５μｍ未満の場合は、ガイドとの接着力が不足する。補強基材の両面に接着剤を塗布した接着テープの厚みは、各々の厚さ条件を満たした上で、２０〜２００μｍが好ましく、特に５０〜１６０μｍが好ましい。
　【００１７】ガイドおよびベルトへの接着に際し、ガイドおよびベルトにコロナ処理やプライマー処理を行って接着力を向上させてもよい。例えば接着剤としてアクリル系接着剤を用いる場合には、反応硬化性のポリウレタン系プライマーを用いることが好ましい。さらに、直接ベルトに接着しても、ベルトに設けられている二軸延伸ポリエステル、ポリイミド等の補強テープの上に接着してもよい。特にベルトの材質がフッ素系樹脂など接着性のよくない場合は、補強テープの上に接着することが好ましい。
　【００１８】（５）蛇行防止ガイドの形状
蛇行防止ガイドの形状は、ベルトの使用条件等により定めればよいが、蛇行防止効果を十分に得る為にはその断面を略矩形とすることが好ましい。蛇行防止ガイドの幅は蛇行防止効果、耐久性等の点から、１〜１０ｍｍが好ましい。厚みも同様の点から０．１〜２ｍｍが好ましい。２ｍｍを超えると、ガイドの側面からクラックが発生する。
　【００１９】（６）蛇行防止ガイドの配置
蛇行防止効果、耐久性および補強効果等の点から、ベルトの両端部に設けることが好ましい。また、ガイドはベルトの補強効果の点から全周に設けることが好ましいが、ガイドのつなぎ目が１〜１０ｍｍ程度あってもよい。
　【００２０】（７）蛇行防止ガイドの製造方法
本発明の蛇行防止ガイドの製造方法としては、例えば次の２通りを挙げることができる。１）補強基材の両面にコーティング装置等により接着剤を塗布し、その両面に離型紙を張り合わせた両面テープを先ず製造する。この両面テープの一面の離型紙を剥がしてシート状のガイド材料をラミネーター等の装置で張り合わせたのち、トムソン刃等の打ち抜き加工やスリッター等のスリット加工により切削する方法。
　【００２１】２）連続した補強基材の一面に接着剤を塗布し、この塗布面にシート状のガイド材料をラミネーター等で張り合わせる。次に補強基材の他面に接着剤を塗布し、離型紙を張り合わせたのち、トムソン刃等の打ち抜き加工やスリッター等のスリット加工により切削する方法。蛇行防止ガイドの真直度や幅精度の点からは、方法１）のうち、トムソン刃を用いる方法が特に好ましい。
　【００２２】（８）エンドレスベルト
本発明の蛇行防止ガイドは、電子写真式複写機、レーザープリンター等における感光装置、中間転写装置、転写分離装置、搬送装置、帯電装置、現像装置等に使用されるエンドレスベルトの全てに適用できる。またエンドレスベルトはつなぎ目があってもなくてもよい。
　【００２３】
　【実施例】以下、具体的実施例により本発明を更に説明する。なお、実施例及び比較例においての使用材料は、下記の通りである。
１．ガイド材料
１）ウレタン（日本バルカー工業（株）製Ｒ５９６５
ＪＩＳＡ硬度６５Ｈｓ）
２）ウレタン（日本バルカー工業（株）製Ｒ５５８０
ＪＩＳＡ硬度８０Ｈｓ）
３）ウレタン（日本バルカー工業（株）製Ｒ５１９８
ＪＩＳＡ硬度９８Ｈｓ）
４）シリコン（日東電工（株）製Ｎｏ．６５：ＪＩＳＡ硬度２８Ｈｓ）
　【００２４】２．接着剤または補強基材付き両面テープ
１）補強基材付き両面テープ
二軸延伸ポリエステル（引張弾性率３００００Ｋｇ／ｃｍ２）基材の両面にアクリル系接着剤が塗布されたもの（住友スリーエム（株）製：ＳＴ−４１６）
２）接着剤
ゴム系接着剤（住友スリーエム（株）製Ｎｏ．４６８：引張弾性率１００Ｋｇ／ｃｍ２以下）
３．エンドレスベルト
１）ポリカーボネート製
　【００２５】実施例及び比較例においての評価方法は、次の通りである。
１．硬度
ＪＩＳＡ（ＪＩＳ　Ｋ６３０１）
２．引張弾性率
ＩＳＯ　Ｒ１１８４
３．画像ずれ
２００ｍｍ幅の両端ガイド付きエンドレスベルトを、ロール径２５ｍｍφ、ロール速度１００ｍｍ／分、ベルトヘの張力８Ｋｇ／２００ｍｍ、２３℃、湿度５０％の条件で図１にしめした中間転写装置に用いた。記録紙への転写画像で転写ずれが０．２ｍｍ以下の場合を○、０．２ｍｍを超えるものを×とした。
　【００２６】４．耐久性
画像ずれの評価条件と同様にして７２時間連続で駆動し、ベルトにクラックが発生しないものを○、７２時間以内にクラックが発生したものを×とした。
５．ガイドの真直度
耐久性評価後のエンドレスベルトを切り開き、３次元測定機を用いてベルトの真直度を測定した。ガイドの真直度が０．２ｍｍ以下のものを○、０．２ｍｍを超えるものを×とした。
　【００２７】（実施例１）厚さ０．５ｍｍ、硬度６５Ｈｓのポリウレタンシートに、厚み５０μｍの二軸延伸ポリエステルフィルム補強基材の両面にそれぞれ４０μｍのアクリル系接着剤が塗布された補強基材付き両面テープを圧着させながら張り合わせ、トムソン刃を用いて幅５ｍｍ、長さ６２８ｍｍに打ち抜いて蛇行防止ガイドを得た。次に厚さ１５０μｍ、直径２００ｍｍφ、幅２００ｍｍのポリカーボネート製エンドレスベルトの内面に、ベルト両端部に沿わせてそれぞれ蛇行防止ガイドを接着した。得られたエンドレスベルトを用いて画像ずれ、耐久性およびガイドの真直度を評価した。結果を表１に示す。
　【００２８】（実施例２）ガイド材料として硬度８０Ｈｓ、厚さ０．５ｍｍのポリウレタンシートを用いたこと以外は実施例１と同様にして蛇行防止ガイドを得た。この蛇行防止ガイドを用いて得られたエンドレスベルトを用いて画像ずれ、耐久性およびガイドの真直度を評価した。結果を表１に示す。
　【００２９】（比較例１）補強基材を用いず、接着剤にゴム系接着剤を用いた以外は実施例１と同様にして蛇行防止ガイドを得た。この蛇行防止ガイドを用いて得られたエンドレス−ベルトを用いて画像ずれ、耐久性およびガイドの真直度を評価した。結果を表１に示す。
　【００３０】（比較例２）ガイド材料として硬度９８Ｈｓのポリウレタンシートを用いたこと以外は実施例１と同様にして蛇行防止ガイドを得た。この蛇行防止ガイドを用いて得られたエンドレスベルトを用いて画像ずれ、耐久性およびガイドの真直度を評価した。結果を表１に示す。
　【００３１】（比較例３）ガイド材料として硬度２８Ｈｓのシリコンゴムシートを用いたこと以外は実施例１と同様にして蛇行防止ガイドを得た。この蛇行防止ガイドを用いて得られたエンドレスベルトを用いて画像ずれ、耐久性およびガイドの真直度を評価した。結果を表１に示す。
　【００３２】
　【表１】
　【００３３】
　【発明の効果】以上説明したように、本発明によれば、特定の硬度を有するガイド材料を用い、また特定の引張弾性率を有する補強部材を用いて蛇行防止ガイドを構成することにより、十分な蛇行防止効果と耐久性を両立し、またベルトの補強効果も有する蛇行防止ガイドが得られる。
【図面の簡単な説明】
　【図１】中間転写方式の複写機における要部側面図である。
　【図２】本発明による蛇行防止ガイドの斜視図である。
　【符号の説明】
１　感光ドラム
２　帯電器
３　露光用光学系
４　現像器
５　クリーナー
６　シームレスベルト
７，８，９　ローラ
１０　静電転写器
１１　記録紙
１２　押圧ローラ
１５　ガイド材料
１６，１７　接着層
１８　補強基材
１９　離型紙